(57)【要約】      （修正有）【課題】リモコンバルブの操作内容を考慮して、走行機構制御することができる走行制御機構及び走行制御方法を提供する。【解決手段】走行制御機構に、リモコンバルブ２１〜２４、圧力調整ソレノイドバルブ６１〜６２、設定機構７０、コントローラ６０が設け、リモコンバルブの操作量に応じ、高速と低速との間で走行速度を切り換え可能であり、ＨＳＴ回路３０に、ポンプと走行モータとを設け、ポンプに、リモコンバルブから供給される作動油が流れるパイロットラインを接続し、パイロットラインに、圧力センサを取り付け、走行モータに、回転センサを取り付け、コントローラは、設定信号、圧力信号、回転数信号に基づいて、リモコンバルブの手動操作から独立してリモコンバルブから供給される作動油の圧力を制御し、リモコンバルブは、前記パイロットライン内の圧力を変化させるか又は一定に維持することによって、ポンプから吐出される作動油の流量を制御する。【選択図】図２
2020038002.tif 000002
【特許請求の範囲】
【請求項１】
建設機械の左右に、ＨＳＴ回路からなる走行機構がそれぞれ設けられ、前記走行機構を制御する走行制御機構において、
前記走行制御機構には、前記建設機械の動作を制御するリモコンバルブと、前記リモコンバルブに供給する作動油の１次圧を調整する圧力調整ソレノイドバルブと、前記建設機械に所望の動作をさせるために一定の設定をするための設定機構と、前記走行機構を制御するためのコントローラとが設けられ、
前記走行機構は、前記リモコンバルブの操作量に応じ、高速と該高速よりも走行速度が遅い低速との間で前記建設機械の走行速度を切り換え可能に構成され、
前記ＨＳＴ回路には、ポンプと走行モータとが設けられ、
前記ポンプには、前記リモコンバルブから延び、前記リモコンバルブから供給される作動油が流れるパイロットラインが接続され、
前記パイロットラインには、該パイロットラインを流れる作動油の圧力を計測する圧力センサがそれぞれ取り付けられ、
前記走行モータには、該走行モータの回転数を計測する回転センサが取り付けられ、
前記コントローラは、前記設定機構からの設定信号、前記圧力センサからの圧力信号、及び前記回転センサからの回転数信号に基づいて、前記リモコンバルブから供給される作動油の圧力を調整するように、前記リモコンバルブの手動による操作から独立して前記リモコンバルブを作動させ、
前記リモコンバルブは、前記パイロットラインを流れる作動油の圧力を変化させるか又は一定に維持することによって、前記ポンプから吐出される作動油の流量を調整する、ことを特徴とする走行制御機構。
【請求項２】
前記コントローラは、前記圧力センサからの圧力信号に基づいて、前記リモコンバルブが左右の前記走行機構の一方を前進又は後進させるか、若しくは、前記リモコンバルブが左右の前記走行機構の一方を前進させ、他方を後進させる操作をしたかを判断し、
前記コントローラは、前記圧力調整ソレノイドバルブに対して供給される電流値を変化させ、操作された前記リモコンバルブに対して供給される作動油の１次圧を決定し、前記リモコンバルブから供給される作動油の２次圧を前記１次圧に対応する圧力に調整して作動油を前記ポンプに供給するように作動させ、
前記ポンプは、前記２次圧に応じ、前記ポンプから吐出される作動油の流量を一定に維持することによって、操作された前記リモコンバルブに対応する左右の走行機構の一方又は両方の走行速度を高速から低速に切り換えるように作動させる、請求項１に記載の走行制御機構。
【請求項３】
前記設定機構は、前記建設機械の走行速度を、前記低速よりも前記建設機械の走行速度が遅いクリープモードに設定できるように構成され、
前記コントローラは、前記回転数信号に基づいて算定される前記建設機械の走行速度と、前記設定機構によって設定されたクリープモードにおける設定速度とを比較し、前記走行速度が前記設定速度を超える場合に、前記圧力調整ソレノイドバルブに対して供給される電流値を変化させ、前記リモコンバルブに対して供給される作動油の１次圧を決定し、前記リモコンバルブから供給される作動油の２次圧を前記１次圧に対応する圧力に調整して作動油を前記ポンプに供給するように作動させ、
前記ポンプは、前記２次圧に応じ、前記ポンプから吐出される作動油の流量を一定に維持することによって、前記設定機構によって設定されたクリープモードにおける設定速度で前記建設機械が走行するように作動させる、請求項１又は２に記載の走行制御機構。
【請求項４】
前記リモコンバルブの操作が前記建設機械を前記高速で走行させる形態であるにもかかわらず、前記コントローラが、前記回転数信号に基づいて前記建設機械が前記低速で走行していると判断した場合、
前記コントローラは、前記圧力調整ソレノイドバルブに対して供給される電流値を変化させ、前記リモコンバルブに対して供給される作動油の１次圧を決定し、前記リモコンバルブから供給される作動油の２次圧を前記１次圧に対応する圧力に調整して作動油を前記ポンプに供給するように作動させ、
前記ポンプは、前記２次圧に応じ、前記ポンプから吐出される作動油の流量を減少することによって、前記建設機械の走行速度を前記低速に切り換えるように作動させる、請求項１〜３のいずれか１項に記載の走行制御機構。
【請求項５】
前記建設機械における前記走行モータの回転数が低くエンジントルクが大きい形態から、前記走行モータの回転数が高くエンジントルクが小さい形態に変化した際に、
前記コントローラは、前記圧力調整ソレノイドバルブに対して供給される電流値を変化させ、前記リモコンバルブに対して供給される作動油の１次圧を決定し、前記リモコンバルブから供給される作動油の２次圧を前記１次圧に対応する圧力に調整して作動油を前記ポンプに供給するように作動させ、
前記ポンプは、前記２次圧に応じ、前記ポンプから吐出される作動油の流量を増大することによって、前記建設機械の走行速度を前記低速から前記高速に自動的に切り換えるように作動させる、請求項１〜４のいずれか１項に記載の走行制御機構。
【請求項６】
前記リモコンバルブの操作をフルレバーにして圧カセンサからの圧力信号がフルレバー相当の圧力を検知しているときに、走行速度が設定値以下になったら高速から低速に自動的に切り替わり、一方、走行速度が設定値以上になったら低速から高速に自動的に切り替わる、請求項１〜３のいずれか１項に記載の走行制御機構。
【請求項７】
建設機械の左右にＨＳＴ回路からなる走行機構がそれぞれ設けられ、前記走行機構を制御する走行制御方法において、
前記走行制御機構に、前記建設機械の動作を制御するリモコンバルブと、前記リモコンバルブに供給する作動油の１次圧を調整する圧力調整ソレノイドバルブと、前記建設機械に所望の動作をさせるために一定の設定をするための設定機構と、前記走行機構を制御するためのコントローラとを設け、
前記走行機構を、前記リモコンバルブの操作量に応じ、高速と該高速よりも走行速度が遅い低速との間で前記建設機械の走行速度を切り換え可能に構成し、
前記ＨＳＴ回路に、ポンプと走行モータとを設け、
前記ポンプに、前記リモコンバルブから延び、前記リモコンバルブから供給される作動油が流れるパイロットラインを接続し、
前記パイロットラインに、該パイロットラインを流れる作動油の圧力を計測する圧力センサをそれぞれ取り付け、
前記走行モータに、該走行モータの回転数を計測する回転センサを取り付け、
前記コントローラが、前記設定機構からの設定信号、前記圧力センサからの圧力信号、及び前記回転センサからの回転数信号に基づいて、前記リモコンバルブから供給される作動油の圧力を調整するように、前記リモコンバルブの手動による操作から独立して前記リモコンバルブを作動させ、
前記リモコンバルブが、前記パイロットラインを流れる作動油の圧力を変化させるか又は一定に維持することによって、前記ポンプから吐出される作動油の流量を調整する、ことを特徴とする走行制御方法。
【発明の詳細な説明】
【技術分野】
【０００１】
本発明は、油圧駆動式建設機械の走行制御機構及び走行制御方法に関し、さらに詳しくは、走行回路としてＨＳＴ回路を用いている油圧駆動式建設機械の走行制御機構及び走行制御方法に関する。
【背景技術】
【０００２】
油圧駆動式建設機械や油圧駆動式作業機械（以下、「建設機械等」という。）の中には、建設機械等を走行させるための油圧回路としてＨＳＴ（Hydro  Static  Transmission）回路を用いているものがある。ＨＳＴ回路を用いた建設機械等は、運転状況に応じて、走行速度等、建設機械等の走行形態を制御している。
【０００３】
例えば、特許文献１で提案されている油圧駆動における負荷依存の調整方法は、二つの油圧モータの同期の最適制御を保証し、所定の操作に従って油圧駆動機構に動力を与える油圧モータを調整する方法である。具体的に、油圧モータの負荷が増大した場合に、油圧モータのトルクが落ちないように制御している。すなわち、同文献の制御形態は、走行系の油圧回路だけで行われている。
【０００４】
一方、建設機械は、オペレータがオペレータキャビンでリモコンバルブを操作することにより制御される。走行機構もリモコンバルブの操作により制御される。そのため、走行機構に対して所定の制御を行う場合、リモコンバルブの操作を考慮することが必要になる。その場合に、リモコンバルブの手動操作から独立して、リモコンバルブを制御することが必要な場合もある。
【先行技術文献】
【特許文献】
【０００５】
【特許文献１】米国特許出願公開第２０１６／０３４１３０８号明細書
【発明の概要】
【発明が解決しようとする課題】
【０００６】
しかしながら、特許文献１で提案されている制御形態は、走行系の油圧回路だけで行われており、リモコンバルブの操作は考慮されていない。そのため、リモコンバルブの操作に応じた建設機械の走行形態を把握することができず、限られた制御、すなわち、油圧モータの負荷が増大した場合に、油圧モータのトルクが落ちないように制御することしかできない。
【０００７】
本発明は、上記課題を解決するためになされたものであり、その目的は、リモコンバルブの操作内容を考慮して、走行機構を制御することができる走行制御機構及び走行制御方法を提供することにある。
【課題を解決するための手段】
【０００８】
（１）上記課題を解決するための本発明に係る走行制御機構は、建設機械の左右に、ＨＳＴ回路からなる走行機構がそれぞれ設けられ、前記走行機構を制御する走行制御機構において、前記走行制御機構には、前記建設機械の動作を制御するリモコンバルブと、前記リモコンバルブに供給する作動油の１次圧を調整する圧力調整ソレノイドバルブと、前記建設機械に所望の動作をさせるために一定の設定をするための設定機構と、前記走行機構を制御するためのコントローラとが設けられ、前記走行機構は、前記リモコンバルブの操作量に応じ、高速と該高速よりも走行速度が遅い低速との間で前記建設機械の走行速度を切り換え可能に構成され、前記ＨＳＴ回路には、ポンプと走行モータとが設けられ、前記ポンプには、前記リモコンバルブから延び、前記リモコンバルブから供給される作動油が流れるパイロットラインが接続され、前記パイロットラインには、該パイロットラインを流れる作動油の圧力を計測する圧力センサがそれぞれ取り付けられ、前記走行モータには、該走行モータの回転数を計測する回転センサが取り付けられ、前記コントローラは、前記設定機構からの設定信号、前記圧力センサからの圧力信号、及び前記回転センサからの回転数信号に基づいて、前記リモコンバルブから供給される作動油の圧力を調整するように、前記リモコンバルブの手動による操作から独立して前記リモコンバルブを作動させ、前記リモコンバルブは、前記パイロットラインを流れる作動油の圧力を変化させるか又は一定に維持することによって、前記ポンプから吐出される作動油の流量を調整する。
【０００９】
この発明によれば、パイロットラインには、パイロットラインを流れる作動油の圧力を計測する圧力センサが取り付けられているので、パイロットラインにつながれているリモコンバルブの操作内容を把握することができる。また、走行制御機構は、リモコンバルブに供給する作動油の１次圧を調整する圧力調整ソレノイドバルブが設けられているので、リモコンバルブから供給される２次圧を１次圧に応じた圧力に調整することができる。そのため、リモコンバルブの操作内容を把握しつつ、その操作内容とは独立して操作内容とは異なる制御を行うことができる。また、走行モータには、走行モータの回転数を計測する回転センサが取り付けられているので、回転センサから送られる回転数信号をコントローラにフィードバックすることによって、コントローラが圧力調整ソレノイドバルブに対し適切な電流値を出力するように制御することができる。
【００１０】
本発明に係る走行制御機構において、前記コントローラは、前記圧力センサからの圧力信号に基づいて、前記リモコンバルブが左右の前記走行機構の一方を前進又は後進させるか、若しくは、前記リモコンバルブが左右の前記走行機構の一方を前進させ、他方を後進させる操作をしたかを判断し、前記コントローラは、前記圧力調整ソレノイドバルブに対して供給される電流値を変化させ、操作された前記リモコンバルブに対して供給される作動油の１次圧を決定し、前記リモコンバルブから供給される作動油の２次圧を前記１次圧に対応する圧力に調整して作動油を前記ポンプに供給するように作動させ、前記ポンプは、前記２次圧に応じ、前記ポンプから吐出される作動油の流量を一定に維持することによって、操作された前記リモコンバルブに対応する左右の走行機構の一方又は両方の走行速度を高速から低速に切り換えるように作動する。
【００１１】
この発明によれば、建設機械をピボットターン又はスピンターンさせる場合に、リモコンバルブの手動操作の内容とは独立して、左右の走行機構のいずれか一方又は両方の速度を低速に切り換える制御を行うことができる。そのため、オペレータがピボットターン又はスピンターンを高速で行うようにリモコンバルブを操作している場合であっても、走行機構のいずれか一方又は両方の速度を低速に切り換えて建設機械を安全に旋回させることができる。
【００１２】
本発明に係る走行制御機構において、前記設定機構は、前記建設機械の走行速度を、前記低速よりも前記建設機械の走行速度が遅いクリープモードに設定できるように構成され、前記コントローラは、前記回転数信号に基づいて算定される前記建設機械の走行速度と、前記設定機構によって設定されたクリープモードにおける設定速度とを比較し、前記走行速度が前記設定速度を超える場合に、前記圧力調整ソレノイドバルブに対して供給される電流値を変化させ、前記リモコンバルブに対して供給される作動油の１次圧を決定し、前記リモコンバルブから供給される作動油の２次圧を前記１次圧に対応する圧力に調整して作動油を前記ポンプに供給するように作動させ、前記ポンプは、前記２次圧に応じ、前記ポンプから吐出される作動油の流量を一定に維持することによって、前記設定機構によって設定されたクリープモードにおける設定速度で前記建設機械が走行するように作動させる。
【００１３】
この発明によれば、走行制御機構が上記のように構成されているので、リモコンバルブの操作内容にかかわらず、クリープモードで設定された速度で建設機械が走行するように制御することができる。そのため、建設機械を極めて遅い微速で走行させることができる。
【００１４】
本発明に係る走行制御機構において、前記リモコンバルブの操作が前記建設機械を前記高速で走行させる形態であるにもかかわらず、前記コントローラが、前記回転数信号に基づいて前記建設機械が前記低速で走行していると判断した場合、前記コントローラは、前記圧力調整ソレノイドバルブに対して供給される電流値を変化させ、前記リモコンバルブに対して供給される作動油の１次圧を決定し、前記リモコンバルブから供給される作動油の２次圧を前記１次圧に対応する圧力に調整して作動油を前記ポンプに供給するように作動させ、前記ポンプは、前記２次圧に応じ、前記ポンプから吐出される作動油の流量を減少することによって、前記建設機械の走行速度を前記低速に切り換えるように作動させる。
【００１５】
この発明によれば、走行制御機構が上記のように構成されているので、建設機械が高速で走行しているときに、負荷がかかった場合でも、リモコンバルブの手動による操作内容とは独立して、建設機械の走行速度を低速に切り換えることができる。そのため、走行機構に過負荷がかからないようにして登坂などの走行を行うことができる。また、建設機械の走行速度が低速よりもさらに遅いクリープモードのときに、左右の走行モータの回転数が違うことを検知した場合、圧力調整ソレノイドバルブを制御して左右の走行モータの回転数を同じにし、これを維持することによって、建設機械の自動直進機能を向上させる。
【００１６】
本発明に係る走行制御機構において、前記建設機械における前記走行モータの回転数が低くエンジントルクが大きい形態から、前記走行モータの回転数が高くエンジントルクが小さい形態に変化した際に、前記コントローラは、前記圧力調整ソレノイドバルブに対して供給される電流値を変化させ、前記リモコンバルブに対して供給される作動油の１次圧を決定し、前記リモコンバルブから供給される作動油の２次圧を前記１次圧に対応する圧力に調整して作動油を前記ポンプに供給するように作動させ、前記ポンプは、前記２次圧に応じ、前記ポンプから吐出される作動油の流量を増大することによって、前記建設機械の走行速度を前記低速から前記高速に自動的に切り換えるように作動させる。
【００１７】
この発明によれば、前記走行モータの回転数が低くエンジントルクが大きい形態から、前記走行モータの回転数が高くエンジントルクが小さい形態に変化した際に、建設機械の走行形態に合致した作動油の流量をＨＳＴ回路に供給することによって、建設機械の走行速度を低速から高速に自動的に切り換えることができる。
【００１８】
本発明に係る走行制御機構において、前記リモコンバルブの操作をフルレバーにして圧カセンサからの圧力信号がフルレバー相当の圧力を検知しているときに、走行速度が設定値以下になったら高速から低速に自動的に切り替わり、一方、走行速度が設定値以上になったら低速から高速に自動的に切り替わる。
【００１９】
この発明によれば、リモコンバルブをフルレバーにして圧カセンサがフルレバー相当の圧力を検知しているときの速度変化により、走行機構を制御することができる。
【００２０】
（２）上記課題を解決するための本発明に係る建設機械の走行制御方法は、建設機械の左右にＨＳＴ回路からなる走行機構がそれぞれ設けられ、前記走行機構を制御する走行制御方法において、前記走行制御機構に、前記建設機械の動作を制御するリモコンバルブと、前記リモコンバルブに供給する作動油の１次圧を調整する圧力調整ソレノイドバルブと、前記建設機械に所望の動作をさせるために一定の設定をするための設定機構と、前記走行機構を制御するためのコントローラとを設け、前記走行機構を、前記リモコンバルブの操作量に応じ、高速と該高速よりも走行速度が遅い低速との間で前記建設機械の走行速度を切り換え可能に構成し、前記ＨＳＴ回路に、ポンプと走行モータとを設け、前記ポンプに、前記リモコンバルブから延び、前記リモコンバルブから供給される作動油が流れるパイロットラインを接続し、前記パイロットラインに、該パイロットラインを流れる作動油の圧力を計測する圧力センサをそれぞれ取り付け、前記走行モータに、該走行モータの回転数を計測する回転センサを取り付け、前記コントローラが、前記設定機構からの設定信号、前記圧力センサからの圧力信号、及び前記回転センサからの回転数信号に基づいて、前記リモコンバルブから供給される作動油の圧力を調整するように、前記リモコンバルブの手動による操作から独立して前記リモコンバルブを制御し、前記リモコンバルブが、前記パイロットラインを流れる作動油の圧力を変化させるか又は一定に維持することによって、前記ポンプから吐出される作動油の流量を調整する。
【００２１】
この発明によれば、パイロットラインにつながれているリモコンバルブの操作内容を把握することができる。また、リモコンバルブから供給される２次圧を１次圧に応じた圧力に調整することができる。そのため、リモコンバルブの操作内容を把握しつつ、その操作内容とは独立して操作内容とは異なる制御を行うことができる。また、回転センサから送られる回転数信号をコントローラにフィードバックすることによって、コントローラが圧力調整ソレノイドバルブに対し適切な電流値を出力するように制御することができる。
【発明の効果】
【００２２】
本発明によれば、リモコンバルブの操作内容を考慮して、走行機構制御することができる走行制御機構及び走行制御方法を提供することができる。
【図面の簡単な説明】
【００２３】
【図１】本発明が適用される建設機械の一例を示す側面図である。
【図２】本発明を実施するためのシステムの概略図である。
【図３】建設機械の速度を高速から低速に自動的に切り換える制御形態の流れを簡略的に示したフローチャートである。
【図４】クリープモードで設定された走行速度以下で建設機械を走行させる制御形態の流れを簡略的に示したフローチャートである。
【図５】負荷が増大した場合に建設機械の速度を高速から低速に切り換える制御形態の流れを簡略的に示したフローチャートである。
【図６】走行モータの回転数が低くエンジントルクが大きい形態から、走行モータの回転数が高くエンジントルクが小さい形態に変化した際の制御形態の流れを簡略的に示したフローチャートである。
【図７】ソレノイドバルブを１つにしたシステムの概略図である。
【発明を実施するための形態】
【００２４】
以下、図面を参照しつつ、本発明の実施形態について説明する。本発明は、以下に説明する実施形態及び図面に記載した形態と同じ技術的思想の発明を含むものであり、本発明の技術的範囲は実施形態の記載や図面の記載のみに限定されるものでない。
【００２５】
［本発明が適用される建設機械］
本発明が適用される建設機械１としては、例えば油圧ショベル、油圧式トラックローダ及び油圧式キャリヤ等を挙げることができる。また、これらの建設機械１の走行機構８は、クローラ式とホイール式の両方を挙げることができる。図１を参照し、建設機械１の構成の概要について、クローラ式の油圧式トラックローダの構成を例に挙げ、その概略を説明する。
【００２６】
図１は、油圧式トラックローダの一例を示す側面図である。油圧式トラックローダは主としてメインフレーム２、オペレータキャビン３、作業機構４、及び走行機構８によって構成されている。
【００２７】
メインフレーム２は、油圧式トラックローダのエンジンや油圧機器等の各種の駆動構成体が搭載される構成部であると共に、オペレータキャビン３及び作業機構４を支持している。オペレータキャビン３は、建設機械１を操作するオペレータが着座する構成体である。作業機構４は、アーム６及びバケット７から主に構成されていて、バケット７に土砂等を入れて搬送したり、土砂等を前方に押しのけたりするための構成体である。走行機構８は、クローラ９とこのクローラ９を回転駆動させる駆動機構１１とで構成されており、建設機械１を走行させたり、ターンさせたりするための構成体である。駆動機構１１は走行モータ３３、駆動用のスプロケット１２、及び複数のトラックローラ１０，１３等で構成されている。なお、スプロケット１２は、走行モータ３３と一体的に構成されている。
【００２８】
［本発明の基本構成］
本発明に係る走行制御機構は、図２に示すように、建設機械１の左右に、ＨＳＴ回路３０からなる走行機構８がそれぞれ設けられ、走行機構８を制御する制御機構である。走行制御機構は、リモコンバルブ２１，２２，２３，２４、圧力調整ソレノイドバルブ６１，６２、設定機構７０及びコントローラ６０を備えている。リモコンバルブ２１，２２，２３，２４は、建設機械１の動作を制御している。圧力調整ソレノイドバルブ６１，６２は、リモコンバルブ２１，２２，２３，２４に供給する作動油の１次圧を調整している。設定機構７０は、建設機械１に所望の動作をさせるために一定の設定を可能にしている。コントローラ６０は、走行機構８を含む建設機械１の動作全体を制御している。走行機構８は、リモコンバルブ２１，２２，２３，２４の操作量に応じ、高速と高速よりも走行速度が遅い低速との間で建設機械１の走行速度を切り換え可能に構成されている。ＨＳＴ回路３０には、ポンプ３１，３２と走行モータ３３とが設けられている。ポンプ３１，３２は、Ｐ１ポンプ３１とＰ２ポンプ３２とで構成されている。Ｐ１ポンプ３１及びＰ２ポンプ３２には、リモコンバルブ２１，２２，２３，２４から延び、リモコンバルブ２１，２２，２３，２４から供給される作動油が流れるパイロットライン４１，４２，４３，４４が接続されている。パイロットライン４１，４２，４３，４４には、パイロットライン４１，４２，４３，４４を流れる作動油の圧力を計測する圧力センサ４５がそれぞれ取り付けられ、走行モータ３３には、走行モータ３３の回転数を計測する回転センサ６５が取り付けられている。
【００２９】
コントローラ６０は、設定機構７０からの設定信号、圧力センサ４５からの圧力信号、及び回転センサ６５からの回転数信号に基づいて、圧力調整ソレノイドバルブ６１，６２を制御して、リモコンバルブ２１，２２，２３，２４から供給される作動油の２次圧を調整し、リモコンバルブ２１，２２，２３，２４の手動による操作から独立してリモコンバルブ２１，２２，２３，２４を作動させている。そして、リモコンバルブ２１，２２，２３，２４は、パイロットライン４１，４２，４３，４４を流れる作動油の圧力を変化させるか又は一定に維持することによって、Ｐ１ポンプ３１及びＰ２ポンプ３２から吐出される作動油の流量を調整している。
【００３０】
本発明に係る建設機械１の走行制御方法は、上記のように構成された走行制御機構を利用して、ポンプ３１，３２から吐出される作動油の流量を制御している。
【００３１】
本発明によれば、リモコンバルブ２１，２２，２３，２４の操作内容を考慮して、走行機構８を制御することができる走行制御機構及び走行制御方法を提供することができる。
【００３２】
［本発明を実施するためのシステムの概要］
図２は、本発明を実施するためのシステムの概要を示している。このシステムは、油圧系統とコントロール系統とから構成されている。図２において、実線及び破線で示したラインは油圧系統を表し、一点鎖線で示したラインがコントロール系統を表している。油圧系統は、ＨＳＴ回路３０、パイロットライン４１，４２，４３，４４、リモコンバルブ２１，２２，２３，２４、及び圧力調整ソレノイドバルブ６１，６２を備えている。また、油圧系統は、Ｐ３ポンプ５３及びＰ４ポンプ５４を備えている。一方、コントロール系統は、コントローラ６０を有している。コントローラ６０は、油圧系統からの出力を受けて一定の処理を行った後に、圧力調整ソレノイドバルブ６１，６２に対して指令を出力している。
【００３３】
＜油圧系統＞
（ＨＳＴ回路）
ＨＳＴ回路３０は、建設機械１の走行機構８を構成する油圧回路である。図２は、発明を容易に説明するために、ＨＳＴ回路３０を簡略化してモデル的に示している。ＨＳＴ回路３０は、Ｐ１ポンプ３１、Ｐ２ポンプ３２、２つの走行モータ３３、及びＰ１ポンプ３１及びＰ２ポンプ３２と各走行モータ３３とを連絡する油圧ホースや配管から主に構成されている。ＨＳＴ回路３０は、建設機械１の左右両側の走行機構８にそれぞれ設けられている。
【００３４】
Ｐ１ポンプ３１及びＰ２ポンプ３２は、ピストンポンプであって、ポンプ内の傾斜板の傾斜角度を変化させることによって、吐出される作動油の流量を変化させることができるように構成されている。具体的に、後述するパイロットライン４１，４２，４３，４４から供給される作動油の圧力を変化させることによって、ポンプ内の傾斜板の傾斜角度は変化される。
【００３５】
走行モータ３３は、Ｐ１ポンプ３１及びＰ２ポンプ３２から吐出された作動油が供給されることにより回転する構成体である。走行モータ３３は、その回転軸が、例えば、走行機構８を構成する駆動用のスプロケット１２に接続され、駆動用のスプロケット１２を回転させることによって、クローラ９を回転駆動させて建設機械１を走行させる。走行モータ３３の回転速度は、Ｐ１ポンプ３１及びＰ２ポンプ３２から送られる作動油の流量によって設定される。すなわち、Ｐ１ポンプ３１及びＰ２ポンプ３２から送られる作動油の流量が相対的に少ない場合、走行モータ３３の回転速度は相対的に遅く、Ｐ１ポンプ３１及びＰ２ポンプ３２から送られる作動油の流量が相対的に多い場合、走行モータ３３の回転速度は相対的に速くなる。また、走行モータ３３には、それ自体に、走行モータ３３に流入させる作動油の流量を調整する機構が設けられている。こうした走行モータ３３には、走行モータ３３の回転数を計測する回転センサ６５がそれぞれ取り付けられている。
【００３６】
（Ｐ３ライン）
Ｐ３ライン４６は、図２に示すＰ３ポンプ５３に接続された油圧ラインである。Ｐ３ライン４６は、特に図面には示していないが、ブーム５等から構成される作業機構４の制御を行うコントロールバルブに作動油を供給している。
【００３７】
（Ｐ４ライン）
Ｐ４ライン４７は、図２に示すＰ４ポンプ５４に接続された油圧ラインである。Ｐ４ライン４７は、特に図面には示していないが、パイロットライン４７から分岐して、作動油を走行モータ３３に流入し、パーキングブレーキのオンオフ、及び高速と低速との切替えを行っている。また、Ｐ４ライン４７は、図２に示すように、圧力調整ソレノイドバルブ６１，６２に接続されている。圧力調整ソレノイドバルブ６１，６２は、後述するように、リモコンバルブユニット２０に１次パイロットライン４９によってつながれている。この１次パイロットライン４９は、リモコンバルブユニット２０を構成している４つのリモコンバルブ２１，２２，２３，２４に作動油を供給している。
【００３８】
具体的に、図２に示すように、圧力調整ソレノイドバルブ６１，６２は２個設けられている。第１圧力調整ソレノイドバルブ６１は、リモコンバルブユニット２０を構成している４つのリモコンバルブ２１，２２，２３，２４のうち、第１リモコンバルブ２１と第３リモコンバルブ２３とに連絡されている。また、第２圧力調整ソレノイドバルブ６２は、第２リモコンバルブ２２と第４リモコンバルブ２４とに連絡されている。
【００３９】
（パイロットライン）
パイロットライン４１，４２，４３，４４は、Ｐ１ポンプ３１及びＰ２ポンプ３２から吐出される作動油の流量を制御する油圧ラインである。すなわち、２次パイロットラインを構成している。ただし、ここでは、２次パイロットラインを「パイロットライン４１，４２，４３，４４」として説明する。
【００４０】
パイロットライン４１，４２，４３，４４は、後述するリモコンバルブ２１，２２，２３，２４とＰ１ポンプ３１及びＰ２ポンプ３２とを連絡しており、リモコンバルブ２１，２２，２３，２４の操作によって、パイロットライン４１，４２，４３，４４を流れる作動油の圧力が変化される。Ｐ１ポンプ３１及びＰ２ポンプ３２には、図２に示すように、パイロットライン４１，４２，４３，４４が２本ずつそれぞれ設けられている。具体的に、Ｐ１ポンプ３１は、パイロットライン４１，４３によって第１リモコンバルブ２１と第３リモコンバルブ２３とに連絡され、Ｐ２ポンプ３２は、パイロットライン４２，４４によって第２リモコンバルブ２２と第４リモコンバルブ２４とに連絡されている。
【００４１】
これらのパイロットライン４１，４２，４３，４４には、パイロットライン４１，４２，４３，４４を流れる作動油の圧力を測定する圧力センサ４５がそれぞれ取り付けられている。
【００４２】
（リモコンバルブ）
図２に示したリモコンバルブユニット２０は、４個のリモコンバルブ２１，２２，２３，２４から構成されており、４個のリモコンバルブ２１，２２，２３，２４が１つのリモコンバルブユニット２０を構成している。リモコンバルブ２１，２２，２３，２４は、オペレータがジョイステック（図示せず）を手動によって操作される。リモコンバルブ２１，２２，２３，２４は、手動操作に応じ、パイロットライン４１，４２，４３，４４に作動油を供給する。具体的に、第１リモコンバルブ２１と第３リモコンバルブ２３とは、第１圧力調整ソレノイドバルブ６１から作動油が供給され、オペレータの手動によるジョイステックの操作に応じ、Ｐ１ポンプ３１に作動油を供給することによって、Ｐ１ポンプ３１が吐出する作動油の流量を制御する。一方、第２リモコンバルブ２２と第４リモコンバルブ２４とは、第２圧力調整ソレノイドバルブ６２から作動油が供給され、オペレータの手動によるジョイステックの操作に応じ、Ｐ２ポンプ３２に作動油を供給することによって、Ｐ２ポンプ３２が吐出する作動油の流量を制御する。
【００４３】
こうした４個のリモコンバルブ２１，２２，２３，２４は、後述するコントローラ６０の指令に基づいて、リモコンバルブ２１，２２，２３，２４から供給される作動油の圧力を調整するように、リモコンバルブ２１，２２，２３，２４の手動による操作から独立して作動されるように構成されている。
【００４４】
なお、図７のシステム概略図に示すように、圧力調整ソレノイドバルブ６１は１個設けられているものであってもよい。この態様において、１個の圧力調整ソレノイドバルブ６１は、リモコンバルブユニット２０にパイロットライン４９によってつながれている。パイロットライン４９は、リモコンバルブユニット２０を構成している４つのリモコンバルブ２１，２２，２３，２４に作動油を供給している。具体的に、第１リモコンバルブ２１と第３リモコンバルブ２３には、圧力調整ソレノイドバルブ６１から作動油が供給され、オペレータの手動によるジョイステックの操作に応じ、Ｐ１ポンプ３１に作動油を供給することによって、Ｐ１ポンプ３１が吐出する作動油の流量を制御する。一方、第２リモコンバルブ２２と第４リモコンバルブ２４にも、同じ圧力調整ソレノイドバルブ６１から作動油が供給され、オペレータの手動によるジョイステックの操作に応じ、Ｐ２ポンプ３２に作動油を供給することによって、Ｐ２ポンプ３２が吐出する作動油の流量を制御する。なお、これ以外は図２に示すシステム概略図と同じである。
【００４５】
＜コントロール系統＞
本発明ではコントロール系統として、コントローラ６０、圧力センサ４５、回転センサ６５、及び設定機構７０が用いられている。コントローラ６０は、例えば、メインフレーム２の内部に設けられ、建設機械１全体の動作を制御しているコントローラ６０が用いられる。
【００４６】
圧力センサ４５は、リモコンバルブ２１，２２，２３，２４とＰ１ポンプ３１及びＰ２ポンプ３２とを連絡しているパイロットライン４１，４２，４３，４４に取り付けられている。上述したように、第１リモコンバルブ２１と第３リモコンバルブ２３とは、Ｐ１ポンプ３１にパイロットライン４１，４３で連絡され、第２リモコンバルブ２２と第４リモコンバルブ２４とは、Ｐ２ポンプ３２にパイロットライン４２，４４で連絡されている。圧力センサ４５は、コントローラ６０と電気的に接続されており、計測した各パイロットライン４１，４２，４３，４４を流れる作動油の圧力に対応する圧力信号をコントローラ６０に送っている。
【００４７】
回転センサ６５は、走行モータ３３の回転数を計測するセンサであり、左右の各走行モータ３３にそれぞれ取り付けられている。回転センサ６５は、コントローラ６０と電気的に接続されており、計測した各走行モータ３３の回転数に対応する回転数信号をコントローラ６０に送っている。
【００４８】
設定機構７０は、建設機械１の走行速度を、低速よりもさらに遅いクリープモードで走行するように設定するための装置である。具体的に、設定機構７０は、建設機械１が走行する速度の上限を設定し、建設機械１が設定された上限速度よりも遅い速度で走行するように設定を行う。設定機構７０によって設定された設定信号は、コントローラ６０に送られる。
【００４９】
［制御内容］
＜第１の制御形態＞
第１の制御形態は、リモコンバルブ２１，２２，２３，２４から供給される作動油の圧力を調整し、左右の走行機構８の一方又は両方の速度を高速から低速に自動的に切り換える制御形態である。図３は、建設機械１の速度を高速から低速に自動的に切り換える制御形態の流れを簡略的に示したフローチャートである。図３に示すように、第１の制御形態では、圧力センサ４５でパイロットライン４１，４２，４３，４４を流れる作動油の圧力を計測し、パイロットライン４１，４２，４３，４４を流れる作動油の圧力が予め設定された条件を満たすかどうかをコントローラ６０が判断している。条件を満たす場合には、コントローラ６０が左右の走行機構８の一方又は両方の速度を高速から低速に自動的に切り換えるように走行機構８を制御している。第１の制御形態の代表的な２つの制御形態として、スピンターン及びピボットターンについて説明する。
【００５０】
（スピンターン）
スピンターンとは、左右の走行機構８のうち、一方の走行機構８を前進させ、他方の走行機構８を後進させることによって、建設機械１全体の向きをその場で旋回させる動作である。スピンターンを行う場合の制御を図３に則して説明する。
【００５１】
まず、オペレータによってリモコンバルブ２１，２２，２３，２４が操作されたときのパイロットライン４１，４２，４３，４４を流れる作動油の圧力（パイロット圧）を、圧力センサ４５が計測する。なお、リモコンバルブ２１，２２，２３，２４の操作量は、計測された値に対応している。すなわち、計測された値が大きいときは、リモコンバルブ２１，２２，２３，２４の操作量が大きく、計測された値が小さいときは、リモコンバルブ２１，２２，２３，２４の操作量が小さい。
【００５２】
次いで、コントローラ６０が、圧力センサ４５からの圧力信号に基づいて、オペレータの操作が、左右の走行機構８の一方が前進、他方が後進であるかどうかを判断する。コントローラ６０が、左右の走行機構８の一方が前進、他方が後進であると判断した場合、オペレータのリモコンバルブ２１，２２，２３，２４の操作量とは無関係に、左右の走行機構８の両方の速度を高速から低速に自動的に切り換える。これにより、スピンターンを行う際の旋回性能を向上させている。
【００５３】
（ピボットターン）
ピボットターンとは、左右の走行機構８のうち、一方の走行機構８を前進又は後進させ、他方の走行機構８を止めておくことによって、建設機械１全体の向きを旋回させる動作である。ピボットターンを行う場合の制御を図３に則して説明する。
【００５４】
まず、オペレータによってリモコンバルブ２１，２２，２３，２４が操作されたときのパイロットライン４１，４２，４３，４４を流れる作動油の圧力（パイロット圧）を、圧力センサ４５が計測する。次いで、コントローラ６０が、圧力センサ４５からの圧力信号に基づいて、オペレータの操作が、左右の走行機構８の一方が前進又は後進、他方が止まっているかどうかを判断する。コントローラ６０が、左右の走行機構８の一方が前進又は後進で、他方が止まっていると判断した場合、オペレータのリモコンバルブ２１，２２，２３，２４の操作量とは無関係に、一方の走行機構８をコントロールしているリモコンバルブ２１，２２，２３，２４から供給される作動油の圧力を制御することによって、高速から低速に自動的に切り換える。これにより、ピボットターンを行う際の旋回性能を向上させている。
【００５５】
＜第２の制御形態＞
第２の制御形態は、建設機械１の走行形態として、高速モード、低速モードの他に、低速モードよりもさらに低速な超低速モード（以下、「クリープモード」という。）を加えた場合において、建設機械１がクリープモードで走行するように建設機械１の走行速度を制御する制御形態である。第２の制御形態では、建設機械１の走行速度が所定の速度を超えないようにするために、建設機械１の走行速度を設定するための設定機構７０が用いられる。設定機構７０としては、例えば、ディスプレイ装置やダイアル機構等を挙げることができる。こうした設定機構７０によって設定された建設機械１の走行速度を制御する制御形態の流れの概要を図４に則して説明する。
【００５６】
まず、設定機構７０によって、クリープモードを選択すると共に、建設機械１の走行速度を設定する。また、コントローラ６０は、回転センサ６５からの回転数信号を読み取り、回転数信号に基づいて算定される建設機械１の走行速度と、設定機構７０によって設定されたクリープモードにおける設定速度とを比較し、走行速度が設定された走行速度よりも遅いか否かを判定する。コントローラ６０が、現在の走行速度が設定された走行速度よりも速いと判断した場合、コントローラ６０は、設定速度に対応した指令を圧力調整ソレノイドバルブ６１，６２に出す。すなわち、設定速度に対応した電流値を圧力調整ソレノイドバルブ６１，６２に供給する。圧力調整ソレノイドバルブ６１，６２は、設定速度に対応した電流値が供給されることによって、リモコンバルブ２１，２２，２３，２４に供給する作動油の１次圧を決定する。リモコンバルブ２１，２２，２３，２４は、リモコンバルブ２１，２２，２３，２４の操作から独立して、決定された１次圧に対応する作動油の２次圧を、パイロットライン４１，４２，４３，４４を介してＰ１ポンプ３１及びＰ２ポンプ３２に供給する。Ｐ１ポンプ３１及びＰ２ポンプ３２は、作動油の２次圧に対応する流量の作動油を走行モータ３３に供給する。供給される作動油の流量は、走行モータ３３が設定された走行速度よりも遅く回転する流量である。建設機械１は、こうした制御によって設定速度よりも遅い速度で走行するように制御される。
【００５７】
＜第３の制御形態＞
建設機械１が、例えば、上り坂を登坂しているとき、走行機構８の負荷が、平坦な地面を走行しているときよりも増大する。第３の制御形態は、走行機構８の負荷が増大した場合に走行機構８を制御する形態である。走行機構８の負荷が増大したかどうかは、走行モータ３３の回転数及びエンジントルクを計測することによって判断する。すなわち、走行モータ３３の回転数が減少した場合に走行機構８の負荷が増大したと判断する。走行負荷が増大した場合の図５に則して説明する。
【００５８】
まず、コントローラ６０が、回転センサ６５からの回転数信号を読み取ると共に、圧力センサ４５からの圧力信号を読み取る。また、この工程ではエンジントルクも読み取っている。次いで、圧力信号に基づいて、コントローラ６０は、オペレータによって操作されているリモコンバルブ２１，２２，２３，２４の操作の内容を判断する。具体的に、低速で建設機械１を走行させる操作をしているのか、高速で建設機械１を走行させる操作をしているのか、を判断する。高速で建設機械１を走行させる操作をしていると判断した場合、コントローラ６０は、回転数信号に基づいて、建設機械１が高速で走行しているか、低速で走行しているかを判断する。高速で建設機械１を走行させる操作をしているにもかかわらず、建設機械１が低速で走行している場合、走行機構８の負荷が増大していると判断する。
【００５９】
負荷が増大していると判断した場合、走行モータ３３に供給する作動油の流量を減少する。具体的に次の制御を実行する。まず、コントローラ６０が、圧力調整ソレノイドバルブ６１，６２に対して供給される電流値を変化させ、リモコンバルブ２１，２２，２３，２４に対して供給される作動油の１次圧を決定する。これにより、リモコンバルブ２１，２２，２３，２４から供給される作動油の２次圧を１次圧に対応する圧力に調整して作動油をポンプに供給する。ポンプは、２次圧に応じ、ポンプから吐出される作動油の流量を減少することによって、建設機械１の走行速度を低速に切り換えるように作動する。こうした制御を行うことによって、走行機構８にかかる負荷を低減させている。
【００６０】
次に、上り坂を登坂している形態から平地を走行する形態に変化したときの制御について説明する。建設機械１が、低速で上り坂を登坂しているとき、走行モータ３３の回転数が低くエンジントルクが大きい。一方、建設機械１が、高速で平地走行をしているとき、走行モータ３３の回転数が高くエンジントルクが小さい。建設機械１の走行形態が、低速で上り坂を登坂している形態から平地を走行する形態に変化したとき、建設機械１の走行の形態を低速から高速に自動的に切り換える。その際に、登坂している形態から平地を走行する形態に変化するとき、走行モータ３３の回転数とエンジントルクとを計測し低速から高速に切換を行う。
【００６１】
まず、図６に示すように、コントローラ６０が、回転数信号、エンジントルク及び圧力信号を読み取る。次いで、コントローラ６０は、読み取った信号に基づき、走行モータ３３の回転数が高くエンジントルクが小さいかどうかを判断する。コントローラ６０は、走行モータ３３回転数が高くエンジントルクが小さいと判断した場合、圧力調整ソレノイドバルブ６１，６２に対して供給される電流値を変化させる。圧力調整ソレノイドバルブ６１，６２は、電流値に対応する１次圧をリモコンバルブ２１，２２，２３，２４に対して供給する。リモコンバルブ２１，２２，２３，２４は、１次圧に対応する２次圧をポンプに供給する。ポンプは、２次圧に応じ、ポンプから吐出される作動油の流量を増大することによって、建設機械１の走行速度を高速に切り換えるように作動する。こうした制御を行うことによって、一端低速に落ちた建設機械１の走行形態を、自動的に高速に切り換えている。
【００６２】
（自動変速機構）
上記した各制御形態において、変速機能は、２速での走行時に段々と速度が落ちて１速程度の速度まで落ちたとき、自動で１速に切り替わる。その後、負荷が小さくなったら自動で２速に復帰する。この２速への復帰は、エンジン負荷率を見て制御される。
【００６３】
一方、他の変速機能としては、リモコンバルブ２１，２２，２３，２４の操作をフルレバーにして圧カセンサ４５からの圧力信号がフルレバー相当の圧力を検知しているときに、２速の走行速度が設定値以下になったら１速へ切り替える。そして、１速の速度が設定値以上に上がってきたら２速へ復帰する。２速から１速への切り替えの際の設定値は任意（例えば２速の速度の３５％以下など）に設定でき、１速から２速への切り替えの際の設定値も任意（例えば２速の速度の６０％以上など）に設定できる。
【符号の説明】
【００６４】
１  建設機械
２  メインフレーム
３  オペレータキャビン
４  作業機構
６  アーム
７  バケット
８  走行機構
９  クローラ
１０  トラックローラ
１１  駆動機構
１２  スプロケット
１３  トラックローラ
２０  リモコンバルブユニット
２１，２２，２３，２４  リモコンバルブ
２１  第１リモコンバルブ
２２  第２リモコンバルブ
２３  第３リモコンバルブ
２４  第４リモコンバルブ
３０  ＨＳＴ回路
３１，３２  ポンプ
３１  Ｐ１ポンプ
３２  Ｐ２ポンプ
３３  走行モータ
４１，４２，４３，４４  パイロットライン
４５  圧力センサ
４６  Ｐ３ライン
４７  Ｐ４ライン
４９  １次パイロットライン
５３  Ｐ３ポンプ
５４  Ｐ４ポンプ
６０  コントローラ
６１，６２  圧力調整ソレノイドバルブ
６１  第１圧力調整ソレノイドバルブ
６２  第２圧力調整ソレノイドバルブ
６５  回転センサ
７０  設定機構
【図１】
2020038002.tif 000003
【図２】
2020038002.tif 000004
【図３】
2020038002.tif 000005
【図４】
2020038002.tif 000006
【図５】
2020038002.tif 000007
【図６】
2020038002.tif 000008
【図７】
2020038002.tif 000009